(57)【要約】【課題】安全で使い勝手の良い炊飯器を提供する。【解決手段】  本体１と、本体１の上面開口部を覆う外蓋２と、本体１内に着脱自在に収納される内釜３と、内釜３の下方に設けられ内釜３を加熱する加熱手段５と、内釜３の下方に設け内釜３の温度を検知する温度検知手段１０と、本体１に設けられ各種炊飯メニューの設定を行う操作部６と、外蓋２の上部に具材を貯蔵する具材供給箱７と、具材供給箱７と内釜３との間に設け前記具材を内釜３に投入するために開閉するのに必要な駆動手段を用いた供給弁８と、操作部６の設定に基づいて加熱手段５と前記駆動手段とを制御する制御部１１とを備えたものである。【選択図】図１
2018149217.tif 000002
【特許請求の範囲】
【請求項１】
本体と、
前記本体の上面開口部を覆う外蓋と、
前記本体内に着脱自在に収納される内釜と、
該内釜の下方に設けられ該内釜を加熱する加熱手段と、
前記内釜の下方に設け該内釜の温度を検知する温度検知手段と、
前記本体に設けられ各種炊飯メニューの設定を行う操作部と、
前記外蓋の上部に設け具材を貯蔵する具材供給箱と、
該具材供給箱と前記内釜との間に設け前記具材を前記内釜に投入するために駆動手段を用いて開閉する供給弁と、
前記操作部の設定に基づいて前記加熱手段と前記駆動手段とを制御する制御部とを備えたことを特徴とする炊飯器。
【発明の詳細な説明】
【技術分野】
【０００１】
本発明は、炊込みご飯など、白米以外の炊飯機能を備えた炊飯器に関するものである。
【背景技術】
【０００２】
近年の炊飯器は、マイクロコンピュータの発展とともにユーザの幅広い指向に対応すべく、白米以外に鶏肉などの肉類、アサリなどの魚介類、ゴボウや人参などの野菜といった各種具材を付加し、五目ご飯やアサリご飯などの炊き込みご飯を炊飯することが可能となっている。
【０００３】
この種の炊飯器として、特許文献１は、白米と付加される各種具材との味付けや食感の違いを際立たせるため、蒸らし工程において、蒸らし工程を一時中断し、炊飯器の蓋体を一旦開け、具材の投入後、再度蒸らし工程を実行することができるようにした炊飯器が記載されている。
【先行技術文献】
【特許文献】
【０００４】
【特許文献１】特開２００９−０００１８６号公報
【発明の概要】
【発明が解決しようとする課題】
【０００５】
上記した従来技術において、特許文献１に記載の炊飯器は、使用者が炊飯の途中で炊飯器の蓋体を開けて具材を投入する時、炊飯器から湯気が出て使用者が湯気を浴びる可能性ある。そのため安全性に問題が生じる可能性がある。また炊飯途中に具材を投入しなければならないという点から、使い勝手が悪いといった課題がある。
【課題を解決するための手段】
【０００６】
本発明は上記課題を解決するためになされたものであり、本体と、前記本体の上面開口部を覆う外蓋と、前記本体内に着脱自在に収納される内釜と、該内釜の下方に設けられ該内釜を加熱する加熱手段と、前記内釜の下方に設け該内釜の温度を検知する温度検知手段と、前記本体に設けられ各種炊飯メニューの設定を行う操作部と、前記外蓋の上部に設け具材を貯蔵する具材供給箱と、該具材供給箱と前記内釜との間に設け前記具材を前記内釜に投入するために駆動手段を用いて開閉する供給弁と、前記操作部の設定に基づいて前記加熱手段と前記駆動手段とを制御する制御部とを備えたものである。
【発明の効果】
【０００７】
本発明によれば、安全で使い勝手の良い炊飯器を提供できる。
【図面の簡単な説明】
【０００８】
【図１】本実施形態に係る炊飯器を示す側面断面図である。
【図２】同炊飯器の操作部である。
【図３】同炊飯器の炊飯工程のフローチャート図の一実施例である。
【発明を実施するための形態】
【０００９】
以下、本発明の一実施形態に係る炊飯器について、図面を用いて説明する。
【００１０】
図１は、本実施形態に係る炊飯器を示す側面断面図である。
【００１１】
図１に示すように、１は炊飯器の本体である。本体１内には内釜３が着脱自在に挿入されている。本体１の上面には、本体１と内釜３の上面開口部を覆う内蓋４を備えた外蓋２が開閉自在に設けられている。
【００１２】
また外蓋２の上面には各種メニューの操作を行うための操作部６が設けられている。
【００１３】
５は内釜３を誘導加熱する誘導加熱コイルからなる加熱手段である。これにより内釜３を均等に誘導加熱する。
【００１４】
本体１内の下部には内釜３の外側底部に当接するように温度検知手段１０を設け、該温度検知手段１０により検知した温度情報を制御部１１に入力する。
【００１５】
制御部１１は、温度検知手段１０により内釜３の外側底部の温度情報によって、炊飯工程時における加熱手段５の動作を制御する。
【００１６】
外蓋２の上部には、炊飯工程時に内釜３に具材を投入するための具材供給箱７を設けている。具材供給箱７は、上方に具材を入れる上面開口部７ｄを備え、該上面開口部７ｄを覆う供給箱蓋７ａが供給箱ヒンジ軸７ｂを軸として開閉自在に設けられている。具材供給箱７の内部下側には具材の残量を検知する光センサ９を設け、これにより具材供給箱７内の具材の残りの有無を検知し制御部１１に入力する。光センサ９は、例えば光を照射する発光部９ａとその光を受光する受光部９ｂとで構成し光を遮っている時には具材が有ると判断する。また具材供給箱７の底面は、具材が内釜３に投入しやすいように傾斜を設けている。
【００１７】
具材供給箱７の下方には、具材供給箱７内部に有する具材を内釜３へと投入するための供給弁８が設けられている。供給弁８の開閉は制御手段１１を介して行われ、開閉にはソレノイドやモータ等の駆動手段を用いる。
【００１８】
図２は同炊飯器の操作部６であり、以下説明する。
【００１９】
操作部６は、使用者の判断で炊飯メニューや具材投入の時間を設定するもので、選択した炊飯メニューや具材投入の時間を液晶表示器などで表示する表示部１２、炊飯を開始する炊飯キー１３、炊飯工程を取り消す切キー１４、炊飯メニューを選択するメニューキー１５、具材投入のタイミング（時間・工程）を設定する具材投入キー１８を有する。その他、炊き上がったご飯を保温するための保温キー１６や、ご飯の炊き上がり時間を設定する予約キー１７等を有する。
【００２０】
本実施例の炊飯器は以上の構成となり、以下炊飯工程における具材投入の動作について説明する。
【００２１】
使用者は、まず研いだお米とお米の量に見合った規定量の水を内釜３に入れる。次に、お米の量に見合った具材を具材供給箱７内に入れ、メニューキー１５にて炊き込みご飯の炊飯メニューを選択し、具材投入キー１８にて具材を投入するタイミング（時間・工程）を設定する。具材投入キー１８を押すて投入する具材を設定することで事前に確認されている具材に最適なタイミングを自動で設定しても良い。
【００２２】
図３は同炊飯器の炊飯工程のフローチャート図の一実施例であり、以下、図３のフローチャートに従い説明する。
【００２３】
ステップ１００にて炊飯キー１３を押して炊飯工程が開始される。
【００２４】
次にステップ１０１では加熱手段５により内釜３内のお米および水の温度を、温度検知手段１０の温度情報をもとに制御部１１の判定にて加熱し、ステップ１０２は蒸らし工程である。
【００２５】
次にステップ１０３にて、使用者が設定した具材投入のタイミング（時間）を計測し、設定されたタイミングが経過したらステップ１０４で供給弁８を開き具材投入箱７にある具材を内釜３へ投入する。そしてステップ１０５で具材供給箱７に設けた光センサ９にて具材が残っていないか確認する。
【００２６】
ステップ１０６にて供給弁８を閉じて、ステップ１０７の保温工程へ移行する。
【００２７】
なお、具材投入キー１８で設定できる具材の投入のタイミング（時間・工程）は、炊飯工程のどのタイミングでも設定可能とすることで使用者の好みに応じる事が可能となる。
【００２８】
以上から、使用者が炊飯器の蓋体を開閉することなく、使用者の任意のタイミングで自動に具材を投入することが可能となる。
【００２９】
上記した本実施例によれば、安全に使い勝手の良い炊飯器を提供することができる。
【符号の説明】
【００３０】
１      本体
２      外蓋
３      内釜
４      内蓋
５      加熱手段
６      操作部
７      具材供給箱
７ａ    供給箱蓋
７ｂ    供給箱ヒンジ軸
８      供給弁
９      光センサ
１０    温度検出手段
１１    制御部
１２    表示部
１３    炊飯キー
１４    切キー
１５    メニューキー
１６    保温キー
１７    予約キー
１８    具材投入キー
【図１】
2018149217.tif 000003
【図２】
2018149217.tif 000004
【図３】
2018149217.tif 000005